(57)【要約】【課題】センサーの吸収性物品への正確な位置決めを繰り返し行うことができる吸収性物品を提供する。【解決手段】吸収体５と裏面シート２とを備え、面状のセンサー７を裏面シート２の非肌当接面側に固定して使用する吸収性物品であって、センサー７が少なくとも幅方向で常に適正配置される領域を想起させる印８が、裏面シート２側から視認可能とされている吸収性物品。【選択図】図４
2015027391.tif 000002
【特許請求の範囲】
【請求項１】
吸収体と裏面シートとを備え、面状のセンサーを前記裏面シートの非肌当接面側に固定して使用する吸収性物品であって、
前記センサーが少なくとも幅方向で常に適正配置される領域を想起させる印が、前記裏面シート側から視認可能とされている吸収性物品。
【請求項２】
前記印が前記領域内の２つ以上の点を示す請求項１記載の吸収性物品。
【請求項３】
前記２つ以上の点が前記領域の外縁上に位置する請求項２記載の吸収性物品。
【請求項４】
前記印が前記領域内の３つ以上の点を示し、そのうち２点は、縦長の前記吸収体を該縦長方向に３等分に領域区分したときの最も腹側寄りの領域にあり、他の点はそれ以外の領域にある請求項１〜３のいずれか１項に記載の吸収性物品。
【請求項５】
前記３つ以上の点が前記領域の外縁上に位置する請求項４記載の吸収性物品。
【請求項６】
前記裏面シートの非肌当接面側にセンサー固定手段が施されている請求項１〜５のいずれか１項に記載の吸収性物品。
【請求項７】
前記センサー固定手段が、前記印で想起される領域内にある請求項６記載の吸収性物品。
【請求項８】
前記領域内に、さらに第二の領域を有する請求項１〜７のいずれか１項に記載の吸収性物品。
【請求項９】
前記印により想起される領域が四角形である請求項１〜８のいずれか１項に記載の吸収性物品。
【請求項１０】
前記裏面シートの非肌当接面側にセンサー固定手段が施され、前記センサー固定手段が色を有する請求項１〜９のいずれか１項に記載の吸収性物品。
【請求項１１】
前記印が前記裏面シートの肌当接面側に配された水分との接触により変色する有色のインジケーターによって形成されている請求項１〜１０のいずれか１項に記載の吸収性物品。
【請求項１２】
前記裏面シートの平面方向において、前記印により想起される領域の外側に、前記吸収性物品と該吸収性物品を覆って人体に装着する外装部材との固定部が配設されている請求項１〜１１のいずれか１項に記載の吸収性物品。
【請求項１３】
前記センサーと請求項１〜１２のいずれか１項に記載の前記吸収性物品とを備えたキット。
【請求項１４】
前記センサーが目印を有し、該目印を、請求項１〜１３のいずれか１項に記載の吸収性物品における前記印に合わせることで、前記センサーを前記吸収性物品に設置することができる、センサー及び吸収性物品のキット。
【発明の詳細な説明】
【技術分野】
【０００１】
本発明は、吸収性パッド等の吸収性物品に関する。
【背景技術】
【０００２】
使い捨ておむつやこれと併用する尿とりパッド等の吸収性物品は、寝たきりや失禁症状の要介護者に対して用いられることがある。その利用において、１日に複数回の交換が必要となる。
【０００３】
おむつ等の交換は、多数の要介護者を受け入れる介護施設等では、予め定められた時刻に定期的になされることが多い。しかし、彼らのおむつ等の交換時期は、排泄量や排泄サイクル等の違いから必ずしも一致しない。そのために、まだ排尿がなく吸収性パッド等の交換の必要がない要介護者にとって、交換のための定期的なチェックが精神的な負担ともなる。一方、交換時期のかなり前に排尿のあった要介護者にとって、排泄量次第では局所の湿潤状態が続き、肌の炎症や褥そうの原因ともなり好ましくない。そのため、要介護者それぞれの排尿パターン（排泄量、排泄時期等）に対して、できるだけ的確な交換が望まれる。
【０００４】
これに対し、各要介護者の排泄を検知するための装置に関する技術がある（例えば、特許文献１〜３）。一方、特許文献４には、排泄量をさらに精度よく把握する排泄検知装置が開示されている。この排泄検知装置は、複数のセンサー素子を配置した面状のセンサーを有する。該センサーは、縦長のシート状で、おむつや尿とりパッドの外側面全体を覆うように面状に取り付けられる。この配置されたセンサーにおいて、排泄尿の拡散による尿とりパッド中の吸収体のインピーダンス変化を、排泄尿の存在する部分に対応するセンサー素子で検知することで、排泄尿の拡散範囲等が検知される。この検知データに基づいて排泄時刻と排泄量を精度よく測定できる。またこのデータが要介護者の尿意回復等のトレーニングにも資するとされる。
【０００５】
【特許文献１】特開２００１−３１８０６７号公報
【特許文献２】特開２００２−０２２６８７号公報
【特許文献３】特開２００２−０２２６８８号公報
【特許文献４】特開２０１１−０７８７９１号公報
【発明の概要】
【発明が解決しようとする課題】
【０００６】
前記特許文献４の排泄検知装置において、排泄尿の拡散範囲に基づく排泄量の精度よい把握のため、シート状のセンサーの吸収性物品に対する正確な位置決めが求められる。前述のとおり１日に複数回の交換が必要であり、その度に、センサーを取り外し、新しい尿とりパッド等に適正な位置に取り付けなければならない。
このようなセンサーは尿とりパッドのみならず、幼児又は成人用の展開型又はパンツ型の使い捨ておむつにも使用できるが、その取り付けは、事前に行う場合だけでなく、使用済みの尿とりパッド等の取り換えと同時に行う場合もある。取り換えと同時に行う場合、センサーの取り付けは、着用者に気を配りながら、汚物を含む使用済みの尿とりパッド等を適切に処理しながら行われる。そのため、作業が煩雑で時間的な制約がある。また、事前にセンサーを取り付けておく場合でも他業務などで多忙な中での作業になることもある。また、吸収性パッド等に備わるギャザー用弾性体の収縮で、センサーの適切な取り付け作業が煩雑になることもある。このような取り付け環境がセンサーの正確な取り付けを妨げかねない。
しかし、このようなインピーダンス変化を検出する面状のセンサー素子や、その他、圧力変化等を吸収性物品の所定平面内で検出する面状のセンサー素子を、対象となる尿とりパッド等に位置決めする手段についていまだ知られていない。このような位置決め手段を有する尿とりパッドや使い捨ておむつ等の吸収性物品があれば、該センサーにより取得できるデータが、より正確なものとなる。
【０００７】
本発明は、上記の点を踏まえ、面状のセンサーの吸収性物品への正確な位置決めを繰り返し行うことができる吸収性物品に関する。
【課題を解決するための手段】
【０００８】
本発明は、吸収体と裏面シートとを備え、面状のセンサーを前記裏面シートの非肌当接面側に固定して使用する吸収性物品であって、前記センサーが少なくとも幅方向で常に適正配置される領域を想起させる印が、前記裏面シート側から視認可能とされている吸収性物品を提供する。
【発明の効果】
【０００９】
本発明の吸収性物品は、面状のセンサーの吸収性物品への正確な位置決めを繰り返し行うことができる。
【図面の簡単な説明】
【００１０】
【図１】本発明の吸収性物品の好ましい一実施形態としてのセンサーを取り付けた状態の尿とりパッド（吸収性パッド）を模式的に示した斜視図である。
【図２】図１のセンサーを取り付けた状態の尿とりパッドを伸長した状態で裏面シート側（非肌当接面側）から見た平面図である。
【図３】図２の尿とりパッドについて、吸収体、排泄部対応領域及びセンサーの配置関係を示す、裏面シート側（非肌当接面側）からみた平面図であり、（Ａ）は第１実施例であり、（Ｂ）は第２実施例であり、（Ｃ）は第３実施例である。
【図４】本実施形態の尿とりパッドにおける、センサーが少なくとも幅方向で適正配置される領域を想起させる印の好ましい態様（第１実施態様）を示す、裏面シート側（非肌当接面側）からみた平面図である。
【図５】本実施形態の尿とりパッドにおける、センサーが少なくとも幅方向で適正配置される領域を想起させる印の別の好ましい態様（第２実施態様）を示す、裏面シート側（非肌当接面側）からみた平面図であり、（Ａ）は３点の印からなる態様であり、（Ｂ）はその変形例である。
【図６−１】（Ａ）〜（Ｃ）はセンサーが適正配置される領域を想起させる印の第３〜５実施態様を示す、裏面シート側（非肌当接面側）からみた平面図である。
【図６−２】（Ｄ）及び（Ｅ）はセンサーが適正配置される領域を想起させる印の第６及び７実施態様を示す、裏面シート側（非肌当接面側）からみた平面図である。
【図７−１】本実施形態の尿とりパッドにおける、センサー固定手段とセンサーが適正配置される領域を想起させる印との配置関係を示す、裏面シート側（非肌当接面側）からみた平面図であり、（Ａ）〜（Ｃ）はその第１〜第３実施態様を示した平面図である。
【図７−２】本実施形態の尿とりパッドにおける、センサー固定手段とセンサーが適正配置される領域を想起させる印との配置関係を示す、裏面シート側（非肌当接面側）からみた平面図であり、（Ｄ）はその第４実施態様を示した平面図である。
【図８−１】本実施形態の尿とりパッドにおける、センサーが適正配置される複数の領域を想起させる印の好ましい態様を示す、裏面シート側（非肌当接面側）からみた平面図であり、（Ａ）〜（Ｃ）はその第１〜第３実施態様を示した平面図である。
【図８−２】（Ｄ）は、本実施形態の尿とりパッドにおける、センサーが適正配置される複数の領域を想起させる印の第４実施態様を示す、裏面シート側（非肌当接面側）からみた平面図である。
【図９】本実施形態の尿とりパッドにおける、センサー固定手段とセンサーが適正配置される領域を想起させる印との配置関係を示す、裏面シート側（非肌当接面側）からみた平面図であり、（Ａ）及び（Ｂ）はその第５及び第６実施態様を示した平面図である。
【図１０】本実施形態の尿とりパッドにおける、外装部材用固定部と、センサーが適正配置される領域を想起させる印及びセンサー固定手段との配置関係を示す、裏面シート側（非肌当接面側）からみた平面図である。
【図１１】本実施形態の尿とりパッドにおける、センサーの目印と、尿とりパッドにおけるセンサーが適正配置される領域を想起させる印との配置関係を示す、裏面シート側（非肌当接面側）からみた平面図である。
【図１２】本実施形態の尿とりパッドにおける、センサー固定手段とセンサーに配列されたセンサー素子（電極部）との配置関係を示す、裏面シート側（非肌当接面側）からみた平面図である。
【発明を実施するための形態】
【００１１】
本発明に係る吸収性物品の好ましい一実施形態として尿とりパッド（吸収性パッド）について、図面を参照しながら以下に詳述する。
【００１２】
本発明においては、特に断らない限り、人体に接触する側を肌面側、肌当接面側、表面側または内側といい、これと反対側を非肌面側、非肌当接面側、裏面側または外側という。着用時に人体の前側に位置する方向を前方といいその端部を前端部とし、後側に位置する方向を後方といいその端部を後端部として説明する。この前端部と後端部とを結ぶ方向、つまり着用者の腹側部から排泄部対応領域を介して背側部に亘る方向を、吸収性物品の縦長方向ないし縦方向（Ｙ方向）という。この縦方向と直交する方向を幅方向ないし横方向（Ｘ方向）という。また、吸収性物品の表面又は裏面の法線方向を厚み方向といいその量を厚みという。
【００１３】
図１には、本実施形態の大人用の尿とりパッド１０が示されている。尿とりパッド１０は、肌当接面側１０１に配された液透過性の表面シート１、非肌当接面側１０２に配された裏面シート２、及び前記両シートの間に介在配置された液保持性の吸収体５を備える。さらに肌当接面側には、表面シート１の両側に撥水性のサイドシート４，４が配されている。各サイドシート４は、弾性部材（図示せず）を伸長状態で挟持して防漏性の立体ギャザーを形成している。吸収体５は、親水性繊維と高吸水性ポリマーとを含有した混合積繊体を親水性の被覆シート５４で覆ったものである（図示せず）。
【００１４】
表面シート１は、肌触りが良く液透過性の部材からなり、例えば、親水性のエアスルー不織布からなる。裏面シート２は、吸収体５の非肌当接面側で液漏れを防ぐ観点から、液難透過性の部材からなり、例えば、液不透過性の多孔性フィルム等を用いて形成されたものである。また、ムレ防止の観点から透湿性を有することが好ましい。前記液難透過性とは、液を透過させにくい性質を意味し、防水性、撥水性及び液不透過性を含む。
【００１５】
このようにして形成された尿とりパッド１０は、縦方向（Ｙ方向）と、該縦方向と直交する横方向（Ｘ方向）とを有する、縦長形状である。尿とりパッド１０は、着用の際、表面シート１側を着用者の肌側に向けられる。そして、尿とりパッド１０の縦方向を下腹部から臀部にかけて配し、その横方向を左右の足を繋ぐ方向に向けて配して着用される。
この装着を良好にする観点から、裏面シート２の非肌当接面側には、尿とりパッド１０を外側（非肌当接面側）１０２から覆って人体に装着する外装部材との固定部２２（以下、外装部材用固定部２２ともいう。）を有していてもよい。前記外装部材としては、尿とりパッド１０を覆い該尿とりパッド１０を肌に固定することができるものであれば特に制限ない。例えば、おむつ、おむつカバー、ガードルやパンツ等などである。また外装部材用固定部２２としては、使用後の引き剥がしができるものであれば特に制限なく、例えば、粘着剤や面ファスナ等である。
【００１６】
本実施形態において、吸収体５を縦長方向に３等分し、着用者の腹側寄りに配される領域から順に、前方部Ｆ、中央部Ｃ、後方部Ｒと区分する（図２参照）。この区分において、尿とりパッド１０の肌当接面側で着用者の排泄部に対応する領域（排泄部対応領域３）は、前方部Ｆと中央部Ｃとの境界部分を跨ぐ領域にある（図３参照）。
【００１７】
図１及び２に示されるように、尿とりパッド１０は、センサー７を裏面シート２側（尿とりパッド１０の非肌当接面側１０２）に取り付けて使用される。センサー７は、吸収体５の縦方向に沿う縦長形状の面状のシート体である。センサー７は、基盤部７１と複数のセンサー素子（電極部）７２と縦方向に延びる複数の配線部７５とを有する。複数のセンサー素子７２は、基盤部７１の一面上に離間して配列され、配線部７５で縦方向に接続されている。このセンサー素子７２の配置面を裏面シート２に向けてセンサー７を取り付ける。取り付けられたセンサー７が、排泄尿の拡散による尿とりパッド中の吸収体のインピーダンス変化領域を排泄尿の存在する部分に対応するセンサー素子７２で検知することで排泄尿の拡散領域（面積）を検出する。その検知したデータは、配線部７５を介し、これと電気的に接続された図示しない外部装置に送られる。該外部装置において、受信データに基づいて排泄時刻と排泄量とが算出される。
この排泄尿の拡散範囲のデータの取得のため、センサー７は、図２に示されるように、尿とりパッド１０の縦長方向（Ｙ方向）に沿って広い範囲に配されている。これにより、排泄尿の拡散範囲だけでなく拡がる方向も把握し、尿とりパッド１０全体での排泄量をより精度よく測定することができる。その結果、時系列的な排尿量の変化が把握できる。また、センサー７とともに要介護者の姿勢を把握する姿勢センサーを併用してもよい。
なお、図２に示したセンサー７には、幅方向の中央に縦方向に延在する貫通孔７３がある。この貫通孔７３が配置された領域は、尿とりパッドを人体に装着したときに股下に配される部分である。この配置により、人体の両大腿部から内方への圧力に対しセンサーが柔軟に変形できる。貫通孔７３の配設は任意である。
【００１８】
このようにセンサー７は、吸収体５に対し広い範囲に取り付けられることが好ましい（図３（Ａ）参照）。特に、尿の濡れ拡がりを検知する観点から、センサー７は、その幅中央位置を吸収体５の縦方向に沿う幅方向中心線Ｌに合わせ左右対称に配置されることがさらに好ましい。また、センサー７が如何なる大きさで如何なる形状であっても、少なくとも、排泄部対応領域３を覆い縦方向に沿う幅方向中心線Ｌに沿って左右対称に配置されることが好ましい。
また、センサー７の縦方向の長さが吸収体５のものよりも短い場合でも、少なくとも吸収体５の縦長方向（Ｙ方向）の８割以上を占める領域に配されることがより好ましい（図３（Ｂ）参照）。この場合、着用者の排泄部に対応する領域（排泄部対応領域３）が含まれるように配されることがさらに好ましい（図３（Ｂ）参照）。特に、寝たきりの被介護者などの場合は、尿が排泄部対応領域３から後方部Ｒに向かって拡散するため、センサー７は排泄部対応領域３を含み、後方部Ｒ寄りに配されることがより一層好ましい（図３（Ｃ）参照）。
なお、図３（Ａ）〜（Ｃ）の裏面シート側（非肌当接面側）からみた平面図においては、センサー７と吸収体５との配置関係の理解のため、センサー７の輪郭のみを実線で示した。また縦方向に沿う幅方向中心線Ｌ及び幅方向に沿う縦方向中心線Ｍを一点鎖線で示し、排泄部対応領域を二点鎖線で示した（以下、図４〜１２においても同様に示した。）。
【００１９】
センサー７の尿とりパッド１０の裏面シート２への取り付け手段、すなわちセンサー固定手段としては、引き剥がし可能な固定手段であれば特に制限なく用いられる。例えば、ホットメルト型等の粘着剤や両面テープ、面ファスナなどが挙げられ、特に両面テープは貼り直しがしやすい点で好ましい。このホットメルト粘着剤は、この種の物品に用いられる材料を用いることができる。塗布方法としては、ドット、スパイラル、ストライプ等のパターン塗工などこの種の物品に用いられる方法を採用できる。
また、このセンサー固定手段は、センサー７側にあっても裏面シート２側にあってもよいが、センサー７の繰り返し使用を考慮すれば、裏面シート２側にあることが好ましい。この具体的な実施態様については、図７−１及び図７−２を参照しながら後述する。
【００２０】
前述の好ましい領域にセンサー７を適切に誘導するべく、尿とりパッド１０には、センサー７が少なくとも幅方向で常に適正配置される領域を想起させる印８が配され、裏面シート２側から視認可能とされている（例えば後述の実施態様（図４〜６及び８など参照））。特に、印８はセンサー７が平面方向で常に適正配置される領域を想起させることが好ましい。
【００２１】
この印８によって想起される領域は、センサー７を少なくとも幅方向で常に適正な配置位置に誘導できる領域であれば、センサー７の大きさ（図３（Ａ）及び（Ｂ）参照）に一致する大きさに限らず、その一部を示す大きさであってもよい。
前述の好ましい領域の観点から、少なくとも、尿とりパッド１０の縦方向に沿う幅方向中心線Ｌとこれを中心とする左右対称の配置幅を示す印８があればよい。これにより、幅方向中心線Ｌの延在方向とともに、センサー７を少なくとも幅方向で常に適正な配置位置に誘導できる領域が想起される。
さらに想起される領域の尿とりパッド１０の幅方向（Ｘ方向）に沿う横線Ｗと尿とりパッド１０の縦方向（Ｙ方向）に沿う縦線Ｓとによる印８がより好ましい。この印８によって、左右対称の横線Ｗと延在方向を示す縦線Ｓとからなる四角形が想起される。特に腹側寄りに配されるよう、吸収体５の前方部Ｆにおいて、センサー７の端部の配置位置が示されることが好ましい。また、排泄部対応領域３を含む縦方向の所定長さが示されることがより好ましい。この領域が想起されることで、これを視認した人がセンサー７の配置領域を認識し、如何なる煩雑な取り付け環境にあっても、これを頼りにセンサー７を常に素早く適切配置することができる。
【００２２】
印８は、裏面シート２側から視認可能であれば、裏面シート２の非肌当接面側に配設されてもよく、肌当接面側に配設されてもよく、他の部材に配設されてもよい。その配設方法は、例えば、裏面シート２等に印刷する方法、有色の部材を裏面シート側から視認できるように配置する方法、顔料や染料等の着色剤をホットメルトに含有させる方法などがある。前記印刷方法としては、フレキソ印刷、グラビア印刷、インクジェット印刷等のこの種の物品に用いられる方法を採用できる。この場合の「色」とは、有彩色のみならず、グレーや黒などの無彩色を含む意味である。
【００２３】
有色の部材の配置としては、例えば、大きさの異なる２層吸収体の間に色つきの親水性シートを配置する方法（この具体的な実施態様は、図８−１及び図８−２を参照して後述する。）や、裏面シート２の肌当接面側や被覆シート５４（図示せず）に水分との接触により変色する有色のインジケーター（図示せず）を塗布する方法などがある。また、前記着色剤を含有するホットメルトとしては、例えば、センサー７を裏面シート２に固定するためのセンサー固定用粘着剤１５（この具体的な実施態様は、図９を参照して後述する。）、吸収体５と裏面シート２とを接合固定するホットメルト接着剤などが挙げられる。
【００２４】
前記インジケーターは、排尿等の水分に反応するものを用いることができ、例えば、ｐＨの変化によって色が変化する呈色指示薬を含む親水性組成物からなるものが挙げられる。センサー７が検知できないほど少量の排泄があった場合でも、姿勢によって横や背中側から漏れることがあるが、インジケーターによって印８を表示することで、どの部分まで排泄物が到達しているかがわかり、漏れを防止できる。また、インジケーターによる印８がセンサー７の外側に配置されることで、尿とりパッド１０のセンサー７が存在しない部位に尿が到達したことがわかり、尿とりパッド１０から排泄物が漏れ、センサーを汚す前に、尿とりパッド１０を交換することができる。
【００２５】
印８の表示形態としては、上記の領域が想起されるものであれば種々の形態を採用できる。例えば、領域の輪郭及びこれに囲まれる領域を面で表示する形態、前記領域の輪郭を線や点で表示する形態、該輪郭の一部を線や点で表示する形態などがある。少なくとも、尿とりパッド１０の長手方向に延在する幅方向中心線を認識できる２点の印があることが好ましい。また、前述した四角形の横線Ｗの幅と縦線Ｓの長さが認識できる３点の印があることがより好ましい（この実施態様については、図４〜６を参照して後述する。）。ここで、線や面は点の集合体であり、例えば図６−１（Ｃ）では、複数かつ無数の点が配されることによって横線を示す印８５が形成されている。前記３点の印については、例えば、１点の印を軸に、横方向及び縦方向に離間配置される２点との組み合わせが挙げられる。言い換えると、２点は、吸収体５の縦方向に沿う幅方向中心線Ｌに対し線対称に配し、残りの１点を前記２点のうちの一方と縦方向で一致し、かつ、幅方向で不一致となるように配する組み合わせである。あるいは、２点は、吸収体５の幅方向に沿う縦方向中心線Ｍに対し線対称に配し、残りの１点を前記２点のうちの一方と幅方向で一致し、かつ、縦方向で不一致となるように配する組み合わせである。
また印８は、点として表示する場合、視認できるものであればどのような形状としてもよく、例えば円形、四角、ひし形、星型、ハート型など種々の図形とすることができる。また、線として表示する場合、直線に限らず、波線等の曲線や破線など種々の形態とすることができ、線自体が幅を有するものであってもよい。点や線、面として表示する場合に、有色の柄として表示することもできる。ここでいう有色の柄における「色」は前述の定義と同義である。
【００２６】
次に、センサー７が常に適正配置される領域を想起させる印８の配置の好ましい実施態様（第１〜第７実施態様）について、四角形の領域が想起される態様として、図４〜６を参照して以下に説明する。
【００２７】
図４が示す第１実施形態では、尿とりパッド１０の裏面シート２側の平面上に、２つの線状の印８１（８１Ａ及び８１Ｂ）が示されている。この線状の印８１は、尿とりパッド１０内部の吸収体５の切欠き部分からなる。より具体的には、該切欠き部分は、尿とりパッド１０の縦方向に沿う幅方向中心線Ｌの両脇でこれを軸に左右対称とされ、該幅方向中心線Ｌと平行に所定長さで形成されている。この部分は、裏面シート２側からは吸収体５の白色が薄くされた部分として映り、印８１Ａ及び８１Ｂと認識される。これにより、幅方向中心線Ｌの延在方向と左右対称の配置幅が示され、センサー７の常に適正配置される領域が想起される。すなわち、センサー７の配置されるべき領域の幅方向と縦方向が示され、縦方向に沿う幅方向中心線Ｌから外れることなく、縦長の尿とりパッド１０の形状と印８１Ａ及び８１Ｂの方向とで適正配置ができる。
さらに、印８１Ａ及び８１Ｂは、図示されるとおり、排泄部対応領域３の近傍に配されていると、排尿に関するデータ取得に必要なこの必須領域を外すことなくセンサー７を配置でき、好ましい。
なお、本実施形態における印８１について、吸収体５の切欠き部分に代えて、第２実施形態における裏面シート２上の円形の印として形成されていてもよい。
【００２８】
図５（Ａ）が示す第２実施態様では、尿とりパッド１０の裏面シート２側の平面上に、３つの円形の印８２（８２Ａ、８２Ｂ及び８２Ｃ）が配されている。図５（Ａ）に示されるように、印８２Ａ及び８２Ｂが幅方向の同一直線状に並び、仮想の横線Ｗ１が想起される。この印８２Ａ及び８２Ｂは、吸収体５の縦方向に沿う幅方向中心線Ｌに対し線対称に配置されている。一方、印８２Ａ及び８２Ｃが縦方向の同一直線状に並び、幅方向中心線Ｌに平行な仮想の縦線Ｓ１が想起される。この横線Ｗ１を印８２Ｃへ平行移動させ、縦線Ｓ１を印８２Ｂに平行移動させて、仮想の四角形６１が想起される。つまり、印８２Ａ、８２Ｂ及び８２Ｃは、仮想の四角形６１の外縁上に位置することになる。なお、第１実施態様において、裏面シート２側から目視されるよう形成された印８は、印８２Ａ，８２Ｂ及び８２Ｃのみである。ただし図５（Ａ）においては、印８２Ａ，８２Ｂ及び８２Ｃの他に、想起される四角形６１の理解のため、便宜上、この四角形６１（横線Ｗ１及び縦線Ｓ１を含む）を一点鎖線で示している（以下の図５（Ｂ）〜１２においても同様に、想起される横線及び縦線を含む四角形を便宜的に一点鎖線で示す。）。
【００２９】
この想起される四角形６１が、センサー７の配置領域を示し、センサー７の大きさに一致する。すなわち、印８２Ａ、８２Ｂ及び８２Ｃは、センサー７の配置領域の４頂点（四隅）のうち３点を示している。印８２Ａ及び８２Ｂは、吸収体５を縦方向に３等分に領域区分したときの最も腹側寄りの領域（前方部Ｆ）にあり、センター部７の腹側寄りの端部の配置位置を示している。
【００３０】
このように第１実施態様においては、必要最小限の印８２Ａ，８２Ｂ及び８２Ｃを表示することで、センサー７の取り付け位置を的確に認識することができる。取り付け領域の全体を確認しなくても、印８２Ａ及び８２Ｂにセンサー７の腹側寄りの端部を合わせ、残りの背側寄りの端部を印８２Ｃに合わせることで、素早い的確な取り付けが可能である。すなわち、取り付け作業が煩雑にならず、データ取得に必要な正確な位置決めを繰り返し行うことができる。これにより、如何なる煩雑な環境下でも素早く的確な取り付けが可能となる。
【００３１】
図５（Ｂ）は、前述の第２実施態様の変形例である。すなわち、３つの印８２Ｄ、８２Ｅ、８２Ｆ）が配されている。これにより想起される仮想の四角形６２は、図５（Ａ）のものよりも小さく、センサー７の配置領域よりも小さい。この場合、印８２Ｄ及び８２Ｅで、幅方向中心線Ｌに対し線対称の仮想の横線Ｗ２が想起される。この横線Ｗ２の幅はセンサー７を取り付けるべき位置の幅方向に一致する。これにより、センサー７の幅方向位置を正確に決めることができ、幅方向の液の拡散を精度良く測定することができる。また、印８２Ｄ及び８２Ｆで、幅方向中心線Ｌに平行な仮想の縦線Ｓ２が想起される。この縦線Ｓ２は、センサー７の縦方向長さよりも短い。これにより、部分的ではあるが、横線Ｗ２でセンサー７の吸収体５に対する横方向の配置位置が認識され、縦線Ｓ２で縦方向におけるセンサー７の延在方向が認識される。これを頼りに、尿とりパッド１０の全体を伸長させずとも、印８２Ｄ、８２Ｅ及び８２Ｆの３点を目安にまずセンサー７を合わせて固定し徐々に全体を取り付けることができる。特に、３つの印８２Ｄ、８２Ｅ及び８２Ｆで想起される四角形が、前述した排泄部対応領域３にあると、必須の領域（四角形６２の領域）を中心に前後の配置を決められる。これにより、データ取得に必要な正確な位置決めを繰り返し行うことができ、如何なる煩雑な環境下でも素早く的確な取り付けが可能となる。また、この場合、センサー７の形状及び大きさが様々であっても、必須の領域（四角形６２の領域）をカバーすることで好適な取り付けとなる。
なお、図５（Ｂ）の印８２Ｄ、８２Ｅ及び８２Ｆは、図５（Ａ）の印８２Ａ、８２Ｂ及び８２Ｃと組み合わされる態様であってもよい。この場合、センサー７の腹側寄りの端部の取り付け位置を決め、かつ、排泄部対応領域３を外さない取り付け位置を決められるので好ましい。
【００３２】
なお、図５（Ａ）で示された第２実施形態において、３点の印の他、８２Ａと８２ＢだけがあってＷ１を想起させる場合や、８２Ａと８２ＣだけがあってＳ１を想起させる場合であってもよい。図５（Ｂ）において、８２Ｄと８２ＥでＷ２を想起させる場合や、８２Ｄと８２ＦだけがあってＳ２を想起させる場合であってもよい。これらＷ１（Ｗ２）やＳ１（Ｓ２）があれば、尿とりパッドの長方形内で、センサー７の適正配置される領域が想起できる。
【００３３】
図６−１（Ａ）〜（Ｃ）並びに図６−２（Ｄ）及び（Ｅ）は、第３〜第７実施態様の、四角形を想起させる印８の配置を示している。
図６−１（Ａ）の第３実施態様では、図５（Ａ）の第２実施態様より１点多い、印８３（印８３Ａ、８３Ｂ、８３Ｃ及び８３Ｄ）が配されている。これらの印８３は、センサー７の配置領域の４頂点（四隅）を示しており、第２実施形態の場合と同じ四角形６１が想起される。これにより、前述のデータ取得に必要な位置決めの正確性がさらに高まる。
【００３４】
図６−１（Ｂ）の第４実施態様では、Ｌ字形状の印８４（印８４Ａ、８４Ｂ、８４Ｃ及び８４Ｄ）が配されている。これらの印８４も、第３実施態様と同様に、センサー７の配置領域の４頂点（四隅）を示しており、第２実施形態の場合と同じ四角形６１が想起される。また、印８４が、所定長さで、四角形６１の各頂点間を結ぶ線上に延出しているので、さらに四角形が想起されやすくなっている。これにより、前述の位置決めの正確性がさらに高まる。
【００３５】
次に図６−１（Ｃ）並びに図６−２（Ｄ）及び（Ｅ）の第５〜第７実施態様では、想起される四角形６１の４つの頂点のいずれかを端部とする線状の印が少なくとも２本存在し、該線状の印は互いに平行または垂直な関係である。すなわち、線状の印が想起される四角形の少なくとも２辺を示す。これにより、センサー７の取り付けの正確性がさらに高まる。これらの第５〜第７実施態様について以下に詳述する。
図６−１（Ｃ）の第５実施態様では、想起される四角形６１の前方部Ｆ側及び後方部Ｒ側の横線を示す印８５（８５Ａ及び８５Ｂ）が配されている。印８５Ａ及び８５Ｂは、それぞれの線分の端部（合計４つの端部）でセンサー７の配置領域（想起される四角形）の４頂点（四隅）を示すとともに、センサー７の前後端部の配置位置を示す。これにより、センサー７の前後端部の取り付け位置を明確に認識でき、前述の位置決めの正確性がさらに高まる。
図６−２（Ｄ）の第６実施態様では、想起される四角形６１の横方向の１辺及び縦方向の１辺をそれぞれ示す印８６Ａ及び８６Ｃが配されている。横方向の１辺を示す印８６Ａは、吸収体５の前方部Ｆ側（腹側寄り）でもよく、後方部Ｒ（背側寄り）でもよい。排泄部対応領域３を確実に覆う観点から、前方部Ｆ側（腹側寄り）が好ましい。この場合、想起される四角形６１の縦方向の１辺全体が印８６Ｃで示されているので、センサー７の延在方向を的確に捉えて、前述の位置決めの正確性がさらに高まる。
図６−２（Ｅ）の第７実施態様では、横線の印８７Ａ及び８７Ｂ、縦線の印８７Ｃ及び８７Ｄにより、想起される四角形６１の四辺を示している。これにより、センサー７の配置領域が明確に示され、前述の位置決めの正確性がさらに高まる。
【００３６】
次に、センサー７を裏面シート２側に固定するためのセンサー固定用粘着剤１５の配置について説明する。前述のとおり、センサー固定用粘着剤１５は、センサー７の繰り返し使用を考慮すれば、裏面シート２側にあることが好ましい。これにより、尿とりパッド１０を交換するたびに、新しい尿とりパッド１０に設けられたセンサー固定用粘着剤１５の粘着力でセンサー７をしっかりと固定できる。
この場合における、センサー固定用粘着剤１５と前述の四角形を想起させる印８との配置関係の好ましい実施態様について、図７−１（Ａ）〜（Ｃ）及び図７−２（Ｄ）を参照して説明する。なお、ここでは、センサー固定用粘着剤１５の配置態様を、図６−１（Ａ）で示される第３実施態様の印８の配置との組み合わせで説明する。ただし印８はこれに限定されない。図７−１（Ａ）〜（Ｃ）及び図７−２（Ｄ）の実施態様において、印８を、第３実施態様（図６−１（Ａ）参照）に代えて、第１、第２及び第４〜第７実施態様（図４、図５（Ａ）及び（Ｂ）、図６−１（Ｂ）及び（Ｃ）、図６−２（Ｄ）及び（Ｅ）参照）のものとしてもよい。
【００３７】
図７−１（Ａ）に示すセンサー固定用粘着剤１５の第１実施態様では、吸収体５の前方部Ｆ及び後方部Ｒのそれぞれの領域に対応して、横長のセンサー固定用粘着剤１５Ａ，１５Ａが配設されている。これにより、少ない粘着剤の量で、装着時に股下に配される中央部Ｃよりも変形が小さい前方部Ｆ及び後方部Ｒにしっかり固定することができ、安定的にセンサー７による測定が可能となる。
また、各センサー固定用粘着剤１５Ａは、変形し難い前方部Ｆ及び後方部Ｒに設けたことで、塗布されるホットメルト粘着剤等の粘着剤の塗布量を通常よりも抑えることができる。該坪量の上限は、３０ｇ／ｃｍ２以下とすることが好ましく、２５ｇ／ｃｍ２以下とすることがより好ましい。また下限は、５ｇ／ｃｍ２以上とすることが好ましく、１０ｇ／ｃｍ２以上とすることがより好ましい。
【００３８】
一方、図７−１（Ｂ）に示すセンサー固定用粘着剤１５の第２実施態様では、吸収体５の中央部Ｃを含めた広い領域に対応して、センサー固定用粘着剤１５Ｂが配設されている。すなわち、裏面シート２の非肌当接面でセンサー７の配置される領域全体を覆っている。これにより、中間部Ｃでセンサー７が裏面シート２に密着し、排尿のしっかりと検知することができ好ましい。
この場合のセンサー固定用粘着剤１５Ｂにおいては、ホットメルト粘着剤等の粘着剤の塗布面積が大きいため、坪量は比較的小さく抑えることができる。該坪量の上限は、２０ｇ／ｃｍ２以下とすることが好ましく、１５ｇ／ｃｍ２以下とすることがより好ましい。また下限は、２ｇ／ｃｍ２以上とすることが好ましく、５ｇ／ｃｍ２以上とすることがより好ましい。
【００３９】
図７−１（Ｃ）及び図７−２（Ｄ）に示す第３及び第４実施態様では、それぞれ、想起される四角形６１に囲まれた領域内に、縦長の帯状のセンサー固定手段が複数配置されている。第３実施形態では、前記センサー固定手段として縦長の帯状のセンサー固定用粘着剤１５Ｃを例として示し得ているが、これに限定されるものではなくセンサーを適切に固定できる手段を種々採用できる。第３実施体態様では２本配設されており、第４実施態様では３本配設されている。
センサー固定用粘着剤１５Ｃが想起される四角形６１に囲まれた領域内にありはみ出さないことで、併用されるおむつ、おむつカバー等への汚染が抑えられ好ましい。また第３及び第４実施態様では、粘着剤のはみ出し部分にごみ等が付着してセンサー７を汚染することを回避することができる。
加えて第３及び第４実施態様では、縦長の帯状のセンサー固定用粘着剤１５Ｃとすることで、粘着剤の塗布量を抑えながら、縦方向にセンサー７をしっかり固定でき、尿の縦方向の拡がりをしっかりと検知できるので好ましい。
この場合の各センサー固定用粘着剤１５Ｃにおける粘着剤の塗布坪量の上限は、３０ｇ／ｃｍ２以下とすることが好ましく、２５ｇ／ｃｍ２以下とすることがより好ましい。また下限は、５ｇ／ｃｍ２以上とすることが好ましく、１０ｇ／ｃｍ２以上とすることがより好ましい。
【００４０】
次に、図８−１及び図８−２を参照して、複数の四角形が想起される印８の配置の好ましい実施態様（第１〜第４実施態様）について説明する。これは、大きさの異なるセンサー７を裏面シート２に取り付けできるようにしたものである。なお図８−１及び図８−２が示す実施態様では、個々の印を線や有色の柄として示したがこれに限定されるものではなく、点（図５（Ａ）及び（Ｂ）の第２実施態様など）として示されてもよい。また、他の実施態様（図１〜７等）を適宜組み合わせてもよい。
また、想起される四角形の数は、図８−１及び図８−２で示される各実施態様のものに限定されず、適宜決定することができる。
【００４１】
図８−１（Ａ）が示す第１実施態様では、囲み線で示される印８８Ａと、印８８Ａとは異なる第二の印８８Ｂが配されており、印８８Ｂは印８８Ａより小さな相似形状とされている。これにより第１の領域である四角形６１とこれより小さい第２の領域である四角形６３とが想起される。いずれも、幅方向中央線Ｌを中心に左右線対称とし、腹側寄り（吸収体５の前方部Ｆ寄り）とされている。これにより、センサー７の大きさ（長さ）に合わせて、腹側寄りの適切な位置への取り付けが可能となる。本実施態様では、想起される四角形は、四角形６１及び６３の２つであったが、これに限らず、３つ以上であってもよい。
【００４２】
図８−１（Ｂ）が示す第２実施態様は、図８−１（Ａ）が示す第１実施態様の変形例である。すなわち、囲み線で示される印８８Ａの中に、幅を狭めた縦線の第二の印８８Ｃ、８８Ｃを示している。この縦線８８Ｃ、８８Ｃは縦方向に沿う幅方向中央線Ｌに対し左右対称に配置されている。その長さは、印８８Ａのものより短く、少なくとも排泄部対応領域３に対応して配されている。これにより、幅の異なるセンサーに対応した２種類の四角形（第１の領域及び第２の領域）が想起され、常に同じ位置に配置する目安となる。また、排泄部対応領域３を漏らさずカバーすることができる。なお、この縦線の数や配置位置はこれに限定されず適宜設定できる。
【００４３】
図８−１（Ｃ）が示す第３実施態様では、囲み線で示される印８９Ａと、この囲み線の外側に有色の柄で示される第二の印８９Ｂとが配されている。印８９Ａは、例えば、裏面シート２上に印刷により形成される。この印８９Ａにより四角形６４が想起される。一方、印８９Ｂは、例えば図８−１（Ｃ）下段の断面図に示されるように、吸収体５を肌側の上層吸収体５１とこれより幅の狭い非肌側の下層吸収体５２とし、両層間に配される有色の親水性シート５３で形成される。親水性シート５３の下層吸収体５２からはみ出した部分が裏面シート２側に映し出され、所定幅の囲み枠で示される印８９Ｂとなる。映し出された第二の印８９Ｂの外側輪郭部分に四角形６５（第１の領域）、内側輪郭部分に四角形６６の２種類からなる第二の四角形（第２の領域）が想起される。これにより、異なる種類の印８９Ａと８９Ｂとで印象の異なる四角形を想起させるので、適切な取り付け位置を選別し易くなり好ましい。この場合、前述の四角形６４は、四角形６５（第１の領域）内にある第２の領域となる。
【００４４】
なお、印８９Ａの囲み線及び印８９Ｂの囲み枠の大きさが逆であってもよく、親水性シート５３は下層吸収体５２と裏面シート２との間に配されてもよい。また、本実施態様においても、想起させる四角形の数は、これに限定されず任意に設定できる。例えば、図示しないが、下層吸収体５２と裏面シート２とを接合するホットメルト型接着剤に着色したものを用い、その色が裏面シート２側から視認される別の印となってもよい。また、下層吸収体５２と裏面シート２との間に、親水性シート５３とは別の有色の親水性シートを異なる大きさで配し、さらに別の印となってもよい。これらにより、上記の四角形６４、６５及び６６とは異なる大きさの四角形が想起できる。
【００４５】
図８−２（Ｄ）が示す第４実施態様は、図８−１（Ａ）が示す第１実施態様の変形例である。すなわち、囲み線で示される印８８Ａで想起される第１の領域の中に、センサー７の腹側寄りの端部の配置位置を示す、横線の印を複数縦方向にずらして示している。図８−２（Ｄ）では、３つの横線８８Ｄ、８８Ｅ及び８８Ｆが第二の印として示され、複数のの第２の領域が想起される。これにより、センサー７の配置領域としての４種類の四角形（第１の領域と第２の領域）が想起される。この横線８８Ｄ、８８Ｅ及び８８Ｆの端部が並ぶ列で幅方向の位置を間違えることなく、縦方向の適切な位置にセンサー７を取り付けることができる。なお、この横線の数や配置位置はこれに限定されず適宜設定できる。
【００４６】
さらに、前述のセンサー固定用粘着剤も着色した粘着剤を用いて形成し、四角形を想起させる印としてもよい。例えば、図９（Ａ）が示すセンサー固定用粘着剤１５の第５実施態様では、図７−２（Ｄ）に示される３本のセンサー固定用粘着剤１５Ｃが着色されて印となり、これを繋いで四角形６７が想起される。さらにこの実施態様では、粘着剤１５Ｃを囲むようにして、裏面シート２に四角形６１の四辺を示す印８７が示されている。
また、図９（Ｂ）が示すセンサー固定用粘着剤１５の第６実施態様では、想起される四角形６１の四辺にセンサー固定用粘着剤１５Ｄが配され印となっている。
これらの実施態様においては、粘着剤１５が、無色の場合に比べて視認し易く、センサー７と粘着剤１５との誤った接触を回避できる。これにより、センサー７と尿とりパッド１０との適切な距離をはかりながら、的確な位置決めを行うことができる。
【００４７】
次に、図１０を参照して、尿とりパッド１０の裏面シート２側に配設される、おむつやおむつカバーなどの外装部材との固定部２２（外装部材用固定部２２）について説明する。図１０では、裏面シート２の非肌当接面側に、尿とりパッド１０を外側（非肌当接面側）から覆って人体に装着するおむつやおむつカバー等の外装部材との固定部２２が配されている。この外装部材用固定部２２は、着色された３本のセンサー固定用粘着剤１５Ｃの前後端外方に位置している。これにより、外装部材用固定部２２及びセンサー固定用粘着剤１５Ｃの固定力を、それぞれ求める固定性能に応じて分けることができる。
センサー固定用粘着剤１５Ｃは、繰り返しの貼り直しができるよう、外装部材用固定部２２よりも弱い固定力に設定することができる。また弱い固定力とすることにより、繰り返しの引き剥がしでも、センサー７への粘着剤の付着が抑えられ、センサー７の性能が阻害されずに好ましい。
また、尿とりパッド１０とその外側に使用されるおむつ等（外装部材）との固定を確実にし、それらの間にセンサー７を挟み込んで固定する観点から、外装部材用固定部２２に用いられる粘着剤は、センサー固定用粘着剤１５Ｃよりも坪量が大きいことが好ましい。外装部材用固定部２２に用いられる粘着剤とセンサー固定用粘着剤１５Ｃとの坪量の比の下限は、１．２倍以上とすることが好ましく、１．４倍以上とすることがより好ましい。また、尿とりパッド１０にセンサー７を貼り付けた状態で、尿とりパッド１０をおむつ等に貼り直し可能とするため、外装部材用固定部２２に用いられる接着剤とセンサー固定用粘着剤１５Ｃとの坪量の比の上限は、４倍以下とすることが好ましく、３倍以下とすることがより好ましい。
【００４８】
センサー固定用粘着剤１５と外装部材用固定部２２との区別をより明確にするため、例えば、次のようにすることができる。センサー固定用粘着剤１５及び外装部材用固定部２２がホットメルト型接着剤で形成されている場合、両者の塗工形状を変えることで区別して視認し易くなる。例えば、センサー固定用粘着剤１５を縦方向（Ｙ方向）に沿う長方形状とし、外装部材用固定部２２を横方向（Ｘ方向）に沿う長方形状に塗工する場合などである。また、両者に異なる着色を施してもよい。あるいは、外装部材用固定部２２のみをメカニカルファスナーで形成されて、ホットメルトで形成されたセンサー固定用粘着剤１５と区別するようにしてもよい。
【００４９】
次に、図１１を参照して、センサー７に目印９が配された態様を説明する。図１１の平面図では、尿とりパッド１０の裏面シート２側（非肌当接面側１０２）にセンサー７が取り付けられた状態として示されている。まず尿とりパッド１０には、裏面シート２側に、横線の印８７Ａ及び８７Ｂ、縦線の印８７Ｃ及び８７Ｄにより、想起される四角形６１の四辺が示されている。加えて、縦線の印８７Ｃ及び８７Ｄ上のそれぞれに、円形の印８７Ｅが２ずつ示されている。これに対し、センサー７には、印８７Ｅに対応する４か所に、星型の目印９が示されている。この目印９は、インクジェット印刷等の方法により形成できる。
この実施態様においては、尿とりパッド１０と裏面シート２との全体を見ながら位置決めせずとも、各４つの目印９と印８７Ｅを部分的に合わせるだけで、全体的な正確な位置決めが素早くできる。この印８７Ｅと目印９との組み合わせがあれば、正確な位置決めを素早く繰り返し行うことができる。
センサー７側の目印９は、取り付けの際に目視できる裏面側、すなわちセンサー素子（電極部）７２配置面と反対側の面に配設されてもよい。また、センサー７の基盤部７１が透明や半透明などで裏面シート２側まで透かして目視できるものであれば、目印９は、裏面シート２との対向面側、すなわちセンサー素子（電極部）７２配置面に配設されてもよい。これにより、基盤部７１を介して印８７Ｅを目視できるので、位置合わせがより確かなものとなる。なお、この場合、目印９は、排尿検知を妨害しない観点から、センサー素子７２と重ならないことが好ましい。一方、目印９は、それ自体が視認可能であり、センサー素子で検知したデータの伝送を妨げない限り、配線部７５と重なっていてもよい。
なお、本実施態様において、四辺の印８７Ａ、８７Ｂ、８７Ｃ及び８７Ｄがないものであってもよく、上述の他の実施態様（図１〜１０の態様など）の印と適宜組み合わせてもよい。あるいは、尿とりパッド１０には印８７Ｅがいずれか２点だけが示され、センサーの対応箇所に目印９があるものであってもよい。
【００５０】
次に、図１２を参照して、センサー固定用粘着剤１５とセンサー７に配列されたセンサー素子（電極部）７２及び配線部７５との好ましい配置関係について説明する。図１２の平面図では、尿とりパッド１０の裏面シート２側（非肌当接面側１０２）にセンサー７が取り付けられた状態として示されている。
センサー７のセンサー素子７２は、裏面シート２に密着して排尿を検知するため、できるだけ間に他の部材が介在しないことが好ましい。そのため、図１２に示すように、センサー固定用粘着剤１５Ｃが、センサー素子７２の配列のない領域（左右両脇と中央）で縦方向に延在して配されることが好ましい。一方、前述のとおり、センサー素子７２で検知したデータの伝送を妨げない限り、センサー固定用粘着剤１５Ｃと配線部７５とは重なっていてもよい。また両者が重ならない配置としてもよい。図１２においては、配線部７５とセンサー固定部用粘着剤１５Ｃとは重ならない配置として示している。
【００５１】
以上、説明した各実施態様は、センサーの正確な位置決めを繰り返し行うことができる限り、互いに適宜組み合わせることができる。
【００５２】
さらに本実施形態では、前述した種々の尿とりパッドとセンサーとを組み合わせたキットとして提供することもできる。センサーの大きさや形状と裏面シートに示される印やセンサー固定用粘着剤の配置とが好適な組み合わせであれば、センサーの尿とりパッドへの正確な位置決めがより確実となる。これにより、複数回の交換があっても、排泄検地装置による排泄量の把握を正確に行うことができる。とりわけ、目印を有するセンサーと、前述の各実施態様で示された印を有する尿とりパッドとを組み合わせたキットが好ましい。また、センサーと、前述の各実施態様で示された印を有し、センサー用固定粘着剤をセンサー素子と重ならない配置とする尿とりパッドとを組み合わせたキットが好ましい。
ここでいう「キット」とは、センサー及び尿とりパッドの数（単数及び複数を含む）が一致する組み合わせ、いずれか一方の数が他方より多い組み合わせなど種々のパターンを含む。たとえば、１つのセンサーに対して複数の尿とりパッドを組み合わせてもよい。尿とりパッドを複数とした場合、前記キットは、センサーを尿とりパッドに取り付けた複合体を一部に含むものであってもよい。
【００５３】
本発明の吸収性物品に用いられる表面シート１、裏面シート２、吸収体５の形成材料としては、この種の物品に採用されるものを特に制限なく用いることができる。
【００５４】
例えば、表面シート１は、排泄された体液を速やかに吸収し、吸収体に伝達する観点と肌触りのよさの観点とから親水性のサーマルボンド不織布が好ましく、特にエアスルー不織布が好ましい。表面層１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００５５】
裏面シート２としては、防水性があり透湿性を有していれば特に限定されないが、例えば、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン等が挙げられ、これらを単独で又は混合して用いることができる。
【００５６】
吸収体５内部の積繊体を形成する親水性繊維としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
高吸水性ポリマーとしては、この種の物品に通常使用されている各種のポリマー材料を用いることがでる。高吸水性ポリマーは、自重の２０倍以上の水又は生理食塩水を吸収し保持し得る性能を有するような超吸収性高分子化合物であることが好ましい。
【００５７】
前記積繊体を包む被覆シート５４は、親水性の部材であり、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
また、前述した親水性シート５３についても被覆シート５４と同様の素材を用いて形成することができる。
【００５８】
本発明の吸収性物品は、上記の実施形態の尿とりパッドに制限されるものではなく、例えば幼児又は成人用の展開型又はパンツ型の使い捨ておむつ、生理用ナプキンやパンティライナ等に適応することができる。なお吸収性物品の構成部材として、表面シート１、吸収体３、裏面シート２の他にも用途や機能に合わせ適宜部材を組み込んでもよい。
【００５９】
上述した実施形態に関し、本発明はさらに以下の吸収性物品及びその製造方法を開示する。
【００６０】
＜１＞吸収体と裏面シートとを備え、面状のセンサーを前記裏面シートの非肌当接面側に固定して使用する吸収性物品であって、
前記センサーが少なくとも幅方向で常に適正配置される領域を想起させる印が、前記裏面シート側から視認可能とされている吸収性物品。
【００６１】
＜２＞前記印が前記領域内の２つ以上の点を示す前記＜１＞に記載の吸収性物品。
＜３＞前記２つ以上の点が前記領域の外縁上に位置する前記＜２＞に記載の吸収性物品。
＜４＞前記印が前記領域内の３つ以上の点を示し、そのうち２点は、縦長の前記吸収体を該縦長方向に３等分に領域区分したときの最も腹側寄りの領域にあり、他の点はそれ以外の領域にある前記＜１＞〜＜３＞のいずれか１項に記載の吸収性物品。
＜５＞前記３つ以上の点が前記領域の外縁上に位置する前記＜４＞に記載の吸収性物品。
【００６２】
＜６＞前記裏面シートの非肌当接面側にセンサー固定手段が施されている前記＜１＞〜＜５＞のいずれか１に記載の吸収性物品。
＜７＞前記センサー固定手段が、前記印で想起される領域内にある前記＜６＞に記載の吸収性物品。
＜８＞前記センサー固定手段が着色され、四角形を想起させる前記印とされている前記＜６＞又は＜７＞に記載の吸収性物品。
＜９＞前記センサー固定手段が、横長形状とされ、前記吸収体の前方部及び後方部のそれぞれの領域に対応して配設されている前記＜６＞〜＜８＞に記載の吸収性物品。
＜１０＞前記センサー固定手段が、前記吸収体の中央部を含めた広い領域に対応して配設され、前記裏面シートの非肌当接面上のセンサーの配置される領域全体を覆っている前記＜６＞〜＜８＞に記載の吸収性物品。
＜１１＞前記センサー固定手段が、想起される四角形に囲まれた領域内に、縦長の帯状とされ複数配置されている前記前記＜６＞〜＜８＞に記載の吸収性物品。
＜１２＞前記センサー固定手段がセンサー固定用粘着剤からなる前記＜６＞〜＜１１＞のいずれか１項に記載の吸収性物品。
【００６３】
＜１３＞前記領域内に、さらに第二の領域を有する前記＜１＞〜＜１２＞のいずれか１項に記載の吸収性物品。
【００６４】
＜１４＞前記印により想起される領域が四角形である前記＜１＞〜＜１３＞のいずれか１項に記載の吸収性物品。
＜１５＞前記印が前記四角形の外縁上の少なくとも３点を示し、そのうち２点は、縦長の前記吸収体を該縦長方向に３等分に領域区分したときの最も腹側寄りの領域にあり、他の点はそれ以外の領域にある前記＜１４＞に記載の吸収性物品。
＜１６＞前記２点が、前記四角形の４つの頂点のうち腹側寄りの２つの頂点である前記＜１５＞に記載の吸収性物品。
＜１７＞想起される領域の横線によって縦方向に沿う幅方向中心線Ｌを中心とする左右対称の配置幅が示される前記＜１＞〜＜１６＞のいずれか１に記載の吸収性物品。
【００６５】
＜１８＞前記印が前記四角形の四辺を示す前記＜１４＞〜＜１７＞のいずれか１に記載の吸収性物品。
＜１９＞前記印がＬ字形状である前記＜１４＞〜＜１７＞のいずれか１に記載の吸収性物品。
＜２０＞前記印が、前記四角形の４つの頂点のいずれかを端部とする線状として少なくとも２本存在し、該線状の印は互いに平行または垂直な関係である前記＜１４＞〜＜１７＞のいずれか１に記載の吸収性物品。
【００６６】
＜２１＞前記四角形に囲まれた領域内に、前記印とは異なる第二の印を有し、該第二の印が前記四角形とは異なる第二の四角形を想起させる前記＜１４＞〜＜２０＞のいずれか１に記載の吸収性物品。
＜２２＞前記四角形に囲まれた領域内に、該四角形より小さな相似形状の印を前記複数の別の四角形を想起させる印として有する前記＜２１＞に記載の吸収性物品。
＜２３＞前記四角形に囲まれた領域内に、これより幅を狭めた縦線の印を前記複数の別の四角形を想起させる印として示している前記＜２１＞に記載の吸収性物品。
＜２４＞前記四角形に囲まれた領域内に、前記複数の別の四角形を想起させる印として、前記センサーの背側寄りの端部の配置位置を示す横線の印を複数縦方向にずらして示している前記＜２１＞に記載の吸収性物品。
【００６７】
＜２５＞前記裏面シートの非肌当接面側にセンサー固定手段が施され、該センサー固定手段が色を有する前記＜１＞〜＜２４＞のいずれか１に記載の吸収性物品。
＜２６＞前記印が前記裏面シートに印刷されている前記＜１＞〜＜２４＞のいずれか１に記載の吸収性物品。
＜２７＞前記印が、有色の部材を裏面シート側から視認できるように配置することで示されている前記＜１＞〜＜２４＞のいずれか１に記載の吸収性物品。
＜２８＞前記吸収体が肌側の上層吸収体とこれより幅の狭い非肌側の下層吸収体とからなり、両層間に配される有色の親水性シートで前記印が形成されている前記＜２７＞に記載の吸収性物品。
＜２９＞前記下層吸収体と前記裏面シートとの間に、前記親水性シートとは別の有色の親水性シートを異なる大きさで配し前記印が形成されている前記＜２８＞に記載の吸収性物品。
＜３０＞前記印が前記裏面シートの肌当接面側に配された水分との接触により変色する有色のインジケーターによって形成されている前記＜１＞〜＜２４＞のいずれか１に記載の吸収性物品。
【００６８】
＜３１＞前記裏面シートの平面方向において、前記印により想起される領域の外側に、前記吸収性物品と該吸収性物品を覆って人体に装着する外装部材との固定部が配設されている前記＜１＞〜＜３０＞のいずれか１に記載の吸収性物品。
＜３２＞前記センサー固定手段は、前記外装部材用固定部よりも弱い固定力に設定されている前記＜３１＞に記載の吸収性物品。
＜３３＞前記センサー固定手段が縦方向（Ｙ方向）に沿う長方形状で形成され、前記外装部材用固定部が横方向（Ｘ方向）に沿う長方形状で形成されている前記＜３１＞に記載の吸収性物品。
＜３４＞前記外装部材用固定部がメカニカルファスナーで形成され、ホットメルトで形成されたセンサー固定用粘着剤と区別して視認可能とされている前記＜３１＞に記載の吸収性物品。
【００６９】
＜３５＞前記センサーと前記＜１＞〜＜３４＞のいずれか１に記載の前記吸収性物品とを備えたキット。
＜３６＞前記センサーが目印を有し、該目印を、前記＜１＞〜＜３４＞のいずれか１に記載の吸収性物品における前記印に合わせることで、前記センサーを前記吸収性物品に設置することができる、センサー及び吸収性物品のキット。
＜３７＞前記センサーが有する電極に対し、前記＜６＞〜＜３４＞のいずれか１に記載の吸収性物品における前記センサー固定手段が厚み方向に重ならない配置とされている、センサー及び吸収性物品のキット。
＜３８＞前記センサーには、幅方向の中央に縦方向に延在する貫通孔がある、前記＜３５＞〜＜３７＞のいずれか１に記載のセンサー及び吸収性物品のキット。
＜３９＞前記センサーの縦方向の長さが吸収体のものよりも短く、少なくとも前記吸収体の縦長方向の８割以上を占める領域に配される、前記＜３５＞〜＜３８＞のいずれか１に記載のセンサー及び吸収性物品のキット。
＜４０＞前記センサーが如何なる大きさで如何なる形状であっても、少なくとも排泄部対応領域を覆い縦方向に沿う幅方向中心線に沿って左右対称に配置される、前記＜３５＞〜＜３９＞のいずれか１に記載のセンサー及び吸収性物品のキット。
【符号の説明】
【００７０】
１  表面シート
２  裏面シート
５  吸収体
５１  上層吸収体
５２  下層吸収体
６１〜６７  四角形
７  センサー
７１  基盤部
７２  センサー素子（電極部）
８、８１〜８９  印
９  目印
１０  尿とりパッド
１５  センサー固定手段（センサー固定用粘着剤）
２２  外装部材用固定部
【図１】
2015027391.tif 000003
【図２】
2015027391.tif 000004
【図３】
2015027391.tif 000005
【図４】
2015027391.tif 000006
【図５】
2015027391.tif 000007
【図６−１】
2015027391.tif 000008
【図６−２】
2015027391.tif 000009
【図７−１】
2015027391.tif 000010
【図７−２】
2015027391.tif 000011
【図８−１】
2015027391.tif 000012
【図８−２】
2015027391.tif 000013
【図９】
2015027391.tif 000014
【図１０】
2015027391.tif 000015
【図１１】
2015027391.tif 000016
【図１２】
2015027391.tif 000017